(57)【要約】【課題】電界通信機器をポケットやカバンなどから取り出すことなく制御する。【解決手段】各電界通信機器ＲＴ１，ＲＴ２から機器情報を受信して出力部１４により出力し、入力部１５により各機器を制御する命令の入力を受け付け、その命令に対応する制御情報を電界通信機器ＲＴ１，ＲＴ２へ送信する。これにより、各電界通信機器ＲＴ１，ＲＴ２を取り出すことなく機器の状態を確認して制御することが可能となる。制御装置１を利用者１００の腕に装着する腕時計型とする。これにより、利用者１００に密着して配置でき、さらに、制御装置１による表示の確認、操作が容易となる。【選択図】図２
2010119004.tif 000002
【特許請求の範囲】
【請求項１】
他の電界通信機器を制御する制御装置であって、
電界通信用の電極と、
前記電極を介して前記他の電界通信機器に関する機器情報を受信する受信手段と、
受信した前記機器情報を出力する出力手段と、
前記他の電界通信機器を制御する命令の入力を受け付ける入力手段と、
入力した前記命令に対応する制御情報を前記電極を介して前記他の電界通信機器へ送信する送信手段と、
を有することを特徴とする制御装置。
【請求項２】
利用者の腕に装着する腕時計型であることを特徴とする請求項１記載の制御装置。
【請求項３】
金銭的価値情報を扱う端末に配置されていることを特徴とする請求項１記載の制御装置。
【請求項４】
他の電界通信機器を制御する制御方法であって、
電界通信用の電極を介して前記他の電界通信機器に関する機器情報を受信するステップと、
受信した前記機器情報を出力するステップと、
前記他の電界通信機器を制御する命令の入力を受け付けるステップと、
入力した前記命令に対応する制御情報を前記電極を介して前記他の電界通信機器へ送信するステップと、
を有することを特徴とする制御方法。
【発明の詳細な説明】
【技術分野】
【０００１】
本発明は、人体に電界を誘起して通信を行う電界通信機器を制御する技術に関する。
【背景技術】
【０００２】
人体などの電界伝達媒体に電界を誘起し、この誘起された電界を用いてデータ通信を行う技術が提案されている（非特許文献１参照）。人体を伝送経路とする電界通信機器は、ポケットやカバンに収納したままでも利用者が電極に接触するだけでデータ通信が可能であるので利便性が高い。
【非特許文献１】”ＲｅｄＴａｃｔｏｎ”、［online］、日本電信電話株式会社、［平成２０年８月１５日検索］、インターネット＜ＵＲＬ：http://www.redtacton.com/＞
【発明の開示】
【発明が解決しようとする課題】
【０００３】
しかしながら、利用者が複数の電界通信機器を所持している場合には、望まない電界通信機器とのデータ通信が行われないようにするために、その電界通信機器の電源をオフしたり、通信機能をオフしなければならない。利用者が電界通信機器の電源や機能をオンオフするためには、電界通信機器をポケットやカバンから取り出す必要があり、煩わしいという問題がある。例えば、電子マネー機能が複数の電界通信機器に搭載されている場合に、利用する電界通信機器以外を取り出し、その機能をオフする必要がある。
【０００４】
本発明は、上記に鑑みてなされたものであり、その課題とするところは、電界通信機器をポケットやカバンなどから取り出すことなく制御することにある。
【課題を解決するための手段】
【０００５】
第１の本発明に係る制御装置は、他の電界通信機器を制御する制御装置であって、電界通信用の電極と、電極を介して他の電界通信機器に関する機器情報を受信する受信手段と、受信した機器情報を出力する出力手段と、他の電界通信機器を制御する命令の入力を受け付ける入力手段と、入力した命令に対応する制御情報を電極を介して他の電界通信機器へ送信する送信手段と、を有することを特徴とする。
【０００６】
上記制御装置において、利用者の腕に装着する腕時計型であることを特徴とする。
【０００７】
上記制御装置において、金銭的価値情報を扱う端末に配置されていることを特徴とする。
【０００８】
第２の本発明に係る制御方法は、他の電界通信機器を制御する制御方法であって、電界通信用の電極を介して他の電界通信機器に関する機器情報を受信するステップと、受信した機器情報を出力するステップと、他の電界通信機器を制御する命令の入力を受け付けるステップと、入力した命令に対応する制御情報を電極を介して他の電界通信機器へ送信するステップと、を有することを特徴とする。
【発明の効果】
【０００９】
本発明にあっては、他の電界通信機器に関する機器情報を受信して出力し、他の電界通信機器を制御する命令の入力を受け付け、入力した命令に対応する制御情報を他の電界通信機器へ送信することにより、他の電界通信機器を取り出すことなく電界通信機器の状態を確認して制御することが可能となる。
【００１０】
また、制御装置を腕時計型にすることにより、電界通信媒体である利用者に密着するとともに、ポケットやカバンから取り出す必要がなく受信した機器情報の確認が容易となる。
【００１１】
また、金銭的価値情報を扱う自動販売機などの端末に配置することにより、利用者が商品を購入する際に、電界通信機器を取り出すことなく、金銭的価値情報を減算する電界通信機器を選択することができる。
【００１２】
このように、本発明によれば、電界通信機器をポケットやカバンなどから取り出すことなく制御することができる。
【発明を実施するための最良の形態】
【００１３】
［第１の実施の形態］
図１は、第１の実施の形態における制御装置の概略的な構成を示す模式図である。同図に示すように、本制御装置１は、利用者１００の腕に装着され、利用者１００が保持する電界通信機器ＲＴ１，ＲＴ２それぞれと利用者１００を電界伝達媒体として電界通信により通信を行う。制御装置１は、各電界通信機器ＲＴ１，ＲＴ２に関する機器情報を受信して表示し、利用者１００から各電界通信機器ＲＴ１，ＲＴ２に対する制御命令の入力を受け付けて、各電界通信装置ＲＴ１，ＲＴ２を制御するための制御情報を各電界通信機器ＲＴ１，ＲＴ２に送信することで各電界通信機器ＲＴ１，ＲＴ２を制御するリモートコントローラである。
【００１４】
図２は、制御装置１の構成を示すブロック図である。制御装置１は、電極１０、送受信部１１、コントローラ１２、メモリ１３、出力部１４、入力部１５、および電源回路１６を備える。制御装置１は、送受信部１１により電極１０を介して各電界通信機器ＲＴ１，ＲＴ２から機器情報を受信するとともに、各電界通信機器ＲＴ１，ＲＴ２へ制御情報を送信する。各電界通信機器ＲＴ１，ＲＴ２から受信した機器情報は、コントローラ１２によりメモリ１３に格納される。各電界通信機器ＲＴ１，ＲＴ２から受信する機器情報は、例えば、電源ＯＮ・ＯＦＦ状態、固有識別番号、電源残容量に関する情報、利用可能なアプリケーションプログラム、および電子マネーなどの電子価値情報などである。
【００１５】
出力部１４は、受信した機器情報をメモリ１３から読み出して画像、音声などにより出力する。利用者１００は、出力部１４が出力する情報を参照して自分の保持する電界通信機器ＲＴ１，ＲＴ２の状態を知ることができる。
【００１６】
入力部１５は、利用者１００から各電界通信機器ＲＴ１，ＲＴ２に対する命令を入力する。コントローラ１２は、入力された命令を電界通信機器ＲＴ１，ＲＴ２に実行させるための制御情報を送受信部１１により電極１０を介して送信する。各電界通信機器ＲＴ１，ＲＴ２へ送信する制御情報は、例えば、電源のオンオフの制御、通信機能のオンオフの制御、利用するアプリケーションプログラムの選択などを実行させるための情報である。
【００１７】
図３は、制御装置１における送受信部１１の構成を示すブロック図である。同図に示す送受信部１１は、送信部１１１、電界検出部１１２、信号処理回路１１３、波形整形回路１１４、およびＩ／Ｏ回路１１５を有する。電界通信機器ＲＴ１，ＲＴ２もこの送受信部１１と同様の回路を備えており、制御装置１、電界通信機器ＲＴ１，ＲＴ２は電界通信により互いにデータ通信をすることができる。
【００１８】
送受信部１１は、コントローラ１２から送信すべきデータをＩ／Ｏ回路１１５を介して受け取ると、このデータを送信部１１１を介して電極１０に供給し、電極１０は、データに対応する電界を利用者１００に誘起する。利用者１００に誘起された電界は、利用者１００を伝達して他の電界通信機器ＲＴ１，ＲＴ２において受信される。
【００１９】
一方、他の電界通信機器ＲＴ１，ＲＴ２により利用者１００に誘起されて伝達した電界は電極１０で受信され、電界検出部１１２に供給され、電気信号に変換される。信号処理回路１１３は、この電気信号に増幅、雑音除去などの信号処理を施す。その後、この電気信号は、波形整形回路１１４で波形整形され、Ｉ／Ｏ回路１１５を介して受信データとしてコントローラ１２に供給される。
【００２０】
次に、本実施の形態における制御装置の動作について図を参照しながら説明する。図４は、制御装置１が利用者１００の求めにより各電界通信機器ＲＴ１，ＲＴ２を制御する動作の流れを示すシーケンス図である。制御装置１は利用者１００の腕に装着されており、電界通信機器ＲＴ１，ＲＴ２いずれも電源ＯＮの状態で利用者１００が保持している。
【００２１】
まず、利用者１００は、制御装置１の入力部１５を操作して電界通信機器の存在を確認するメニューを選択する（ステップＳ４０１）。続いて、制御装置１は、送受信部１１により電極１０を介して利用者１００に電界を誘起し、存在確認コマンドを各電界通信機器ＲＴ１，ＲＴ２へ送信する（ステップＳ４０２）。
【００２２】
存在確認コマンドを受信した各電界通信機器ＲＴ１，ＲＴ２は、制御装置１へ機器情報を送信する（ステップＳ４０３，Ｓ４０４）。このとき、電界通信機器ＲＴ１，ＲＴ２の両方からレスポンスが返ってくるため、制御装置１は、タイムスロット方式、ビットコリジョン方式など所定の衝突防止処理を行う。
【００２３】
制御装置１は、各電界通信機器ＲＴ１，ＲＴ２の機器情報を受信することでそれぞれの存在を確認した後、制御装置１の出力部１４により各電界通信機器ＲＴ１，ＲＴ２の機器情報を表示する（ステップＳ４０５）。
【００２４】
続いて、利用者１００は、制御装置１の入力部１５を操作して電界通信機器ＲＴ２の電源をＯＦＦにするメニューを選択する（ステップＳ４０６）。制御装置１は、送受信部１１により電極１０を介して利用者１００に電界を誘起して電源ＯＦＦの制御コマンドを送信する（ステップＳ４０７）。
【００２５】
電界通信機器ＲＴ１は、電源ＯＦＦの制御コマンドを受信するが、自分宛の制御コマンドではないことを確認し、その制御コマンドは無視する（ステップＳ４０８）。一方、電界通信機器ＲＴ２は、電源ＯＦＦの制御コマンドを受信して、制御コマンドの内容を解釈し、制御装置１にレスポンスを返す（ステップＳ４１０）とともに、電源をＯＦＦにする（ステップＳ４１１）。
【００２６】
そして、制御装置１は、電界通信機器ＲＴ２からレスポンスを受信して、電界通信機器ＲＴ２が電源ＯＦＦとなったことを確認する。そして、出力部１４の表示を更新し、電界通信機器ＲＴ２の表示を削除する（ステップＳ４１２）。
【００２７】
したがって、本実施の形態によれば、各電界通信機器ＲＴ１，ＲＴ２から機器情報を受信して出力部１４により出力し、入力部１５により各機器を制御する命令の入力を受け付け、その命令に対応する制御情報を電界通信機器ＲＴ１，ＲＴ２へ送信することにより、各電界通信機器ＲＴ１，ＲＴ２を取り出すことなく機器の状態を確認して制御することが可能となる。
【００２８】
本実施の形態によれば、制御装置１を利用者１００の腕に装着する腕時計型としたことにより、利用者１００に密着して配置できるとともに、制御装置１による表示の確認、操作が容易となる。腕時計に制御装置１を組み込んで腕時計本体とのインタフェースを介して接続し、出力部１４、入力部１５として腕時計の表示部、操作ボタンを用いてもよい。なお、腕時計に限らず、画面を見ながら手にとって操作をする携帯電話機や携帯情報端末などに制御装置１を組み込むものでもよい。
【００２９】
［第２の実施の形態］
図５は、第２の実施の形態における制御装置の概略的な構成を示す模式図である。同図に示す制御装置５０は、街頭に設置される自動販売機に組み込んだものである。コントローラ１２は、自動販売機本体５１と接続される。電極１０は、利用者１００の足下に設置される。利用者１００は、出力部１４であるディスプレイに表示される情報を基に、入力部１５であるボタンを操作することで、利用者１００の保持する電界通信機器ＲＴ１，ＲＴ２を制御する。例えば、利用者１００が商品を選択するときに、どの電界通信機器ＲＴ１，ＲＴ２の金銭的価値情報（電子マネー）を使用するか決定することが可能となる。あるいは、制御装置５０により、電界通信機器ＲＴ１，ＲＴ２のいずれかに、電子マネーを扱うアプリケーションプロクラムを実行させることが可能となる。
【００３０】
したがって、本実施の形態によれば、自動販売機に制御装置を組み込むことにより、利用者１００が複数の電界通信機器ＲＴ１，ＲＴ２を所持している場合に、どの電界通信機器ＲＴ１，ＲＴ２の電子マネーを使用するかを、電界通信機器ＲＴ１，ＲＴ２を取り出すことなく指定することが可能となる。また、商品購入の際に、電界通信機器ＲＴ１，ＲＴ２に電子マネーを扱うアプリケーションプログラムを実行させることが可能となる。
【００３１】
ＡＴＭ（Automated Teller Machine）に制御装置を備え、電界通信機器に口座情報を持たせた場合も上記と同様に適用可能である。
【図面の簡単な説明】
【００３２】
【図１】第１の実施の形態における制御装置の概略的な構成を示す模式図である。
【図２】上記制御装置の構成を示すブロック図である。
【図３】上記制御装置の送受信部の構成を示すブロック図である。
【図４】上記制御装置の動作の流れを示すシーケンス図である。
【図５】第２の実施の形態における制御装置の概略的な構成を示す模式図である。
【符号の説明】
【００３３】
１…制御装置
１０…電極
１１…送受信部
１２…コントローラ
１３…メモリ
１４…出力部
１５…入力部
１６…電源回路
５０…制御装置
５１…自動販売機本体
１００…利用者
１１１…送信部
１１２…電界検出部
１１３…信号処理回路
１１４…波形整形回路
１１５…Ｉ／Ｏ回路
ＲＴ１，ＲＴ２…電界通信機器
【図１】
2010119004.tif 000003
【図２】
2010119004.tif 000004
【図３】
2010119004.tif 000005
【図４】
2010119004.tif 000006
【図５】
2010119004.tif 000007